(57)【要約】【課題】本発明は、クロストークを減少するためのＵＳＢコネクタを提供することを目的とする。【解決手段】本発明のコネクタは、主体部と、主体部から前向きに延在する舌板と、を有する絶縁性本体と、前記絶縁性本体に固着される複数の導電端子と、絶縁性本体に前後方向において移動可能な光部材と、前記光部材と絶縁性本体との間に配置される金属弾性要素と、を備える。前記導電端子が、信号端子と接地端子とを含む。前記金属弾性要素が、前記接地端子と電気的に接続する。【選択図】図５
2011086624.tif 000002
【特許請求の範囲】
【請求項１】
主体部と、前記主体部から前向きに延在する舌板と、を有する絶縁性本体と、
前記絶縁性本体に固着される複数の導電端子と、
前記絶縁性本体の前後方向において移動可能な光部材と、
前記光部材と絶縁性本体との間に配置される金属弾性要素と、
を備え、前記導電端子が信号端子と接地端子とを含み、前記金属弾性要素が前記接地端子と電気的に接続することを特徴とするコネクタ。
【請求項２】
前記絶縁性本体には、窓口が形成され、前記接地端子が前記窓口に露出され、前記金属弾性要素は、前記窓口を越えて前記接地端子と電気的に接続する接続部を有することを特徴とする請求項１に記載のコネクタ。
【請求項３】
前記金属弾性要素は、コイル部と、前記コイル部から延在する延在部と、を含む金属バネ体であり、前記接続部が前記延在部から延在し、前記コイル部と前記延在部と前記接続部とは、一体的に製造されることを特徴とする請求項２に記載のコネクタ。
【請求項４】
前記絶縁性本体には、位置決め柱が設けられ、前記光部材には、凸柱が設けられ、前記金属弾性要素のコイル部は、一端が前記位置決め柱に装着され、他端が前記凸柱に装着され、前記金属弾性要素の延在部が、前記絶縁性本体に当接することを特徴とする請求項３に記載のコネクタ。
【請求項５】
前記金属弾性要素は、金属片と、前記金属片に装着されるバネ体と、を有し、前記接続部が前記金属片に設けられることを特徴とする請求項２に記載の電気コネクタ。
【請求項６】
前記電気コネクタが、前記絶縁性本体に取り付けられ、切欠きが形成される蓋板を有し、前記金属片が前記蓋板の底部に取り付けられ、前記金属片が第１ビーム部を含み、前記接続部が前記第１ビーム部の自由端から折り曲げられ、前記切欠きを越えて前記窓口に向かって伸び、前記蓋板の下表面と絶縁性本体との間には、前記弾力部材の第１ビーム部を制限するための第１凹溝が形成されることを特徴とする請求項５に記載の電気コネクタ。
【請求項７】
前記金属片が前記第１ビーム部に対して垂直に延在する第２ビーム部を有し、前記蓋板には、前記金属片の第２ビーム部に対応する第２凹溝と、凹所と、が形成され、前記金属片には、前記第２ビーム部の自由端から折曲されて前記蓋板の凹所を越えて、前記バネ体に対応する凹口を含む係合部が設けられることを特徴とする請求項６に記載の電気コネクタ。
【発明の詳細な説明】
【技術分野】
【０００１】
本発明は、コネクタに関し、特に、光部材を含むＵＳＢ（Ｕｎｉｖｅｒｓａｌ  Ｓｅｒｉａｌ  Ｂｕｓ）規格に準拠したコネクタに関するものである。
【背景技術】
【０００２】
従来技術のＵＳＢコネクタは、絶縁性本体と、絶縁性本体に固着される導電端子と、光信号を転送するための光部材と、絶縁性本体と光部材との間に配置されたバネ体と、絶縁性本体を遮蔽するハウジングと、を備える。絶縁性本体は、本体部と、本体部から突出する舌板と、を備える。前記絶縁性本体には、収納溝が形成される。前記光部材は、前記収納溝に移動する。相手コネクタと電気的に接続する時、前記ＵＳＢコネクタが前記収納溝に後向きに移動する。相手コネクタが電気的に接続しない時、前記ＵＳＢコネクタが前記収納溝に前向きに回復する。
【先行技術文献】
【特許文献】
【０００３】
【特許文献１】中国実用新案第２０１４３８２２５Ｙ号明細書
【発明の概要】
【発明が解決しようとする課題】
【０００４】
バネ体と導電端子との間には、クロストークが発生し易い。
【０００５】
そこで本発明は、上述される従来技術の問題に鑑み、クロストークを減少するためのＵＳＢコネクタを提供することを目的とする。
【課題を解決するための手段】
【０００６】
前記目的を達成するために、本発明のコネクタは、主体部と、主体部から前向きに延在する舌板と、を有する絶縁性本体と、前記絶縁性本体に固着される複数の導電端子と、絶縁性本体の前後方向において移動可能な光部材と、前記光部材と絶縁性本体との間に配置される金属弾性要素と、を備える。前記導電端子が、信号端子と接地端子とを含む。前記金属弾性要素が、前記接地端子と電気的に接続する。
【発明の効果】
【０００７】
従来技術と比べると、本発明は以下の長所を有する。本発明の金属弾性要素が接地端子に電気的に接続することによって、バネ体と信号端子との間のクロストークが減少される。
【図面の簡単な説明】
【０００８】
【図１】本発明の第１実施形態のコネクタの組立斜視図である。
【図２】図１に示すコネクタの部分の組立斜視図である。
【図３】別の角度から見た部分の組立斜視図である。
【図４】図２に示す蓋板が取り付けられない時のコネクタの部分の組立斜視図である。
【図５】図１のＡ−Ａ線に沿った断面図である。
【図６】図１に示すコネクタの分解斜視図である。
【図７】図６に示すコネクタの別の角度から見た分解斜視図である。
【図８】第２実施形態のコネクタの部分の立体斜視図である。
【図９】図８に示すコネクタの蓋板が除く斜視図である。
【図１０】図８に示すコネクタの分解斜視図である。
【発明を実施するための形態】
【０００９】
図１〜図７を参照すると、本発明の第１実施形態のコネクタ１００は、絶縁性本体１と、蓋板１３と、複数の導電端子２と、前記絶縁性本体１に装着される光部材３と、前記絶縁性本体１と光部材３との間に装着されるバネ体４と、前記絶縁性本体１に固着されるベース６と、前記ベース６に装着される被覆部７と、前記絶縁性本体１を遮蔽する遮蔽部材８と、シェル９と、を備える。
【００１０】
図２〜図６に示すように、絶縁性本体１は、上表面と下表面とを有する。絶縁性本体１は、主体部１１と、主体部１１から前向きに突出する舌板１２と、を備える。主体部１１の上表面には、前記ベース６に対応する収納スペース１１３が形成される。舌板１２の上表面には、一列の第１端子溝１２７と、前記一列の第１端子溝１２７の後に配置される一列の第２端子溝１２８と、が形成される。
【００１１】
主体部１１の下表面には、前後方向に沿って延在する一対の保持溝１１１と、前記一対の保持溝１１１の後に形成される複数の位置決め溝１１２と、が形成される。前記舌板１２の下表面には、収納溝１２１と、前記収納溝１２１に連通する凹部１２２と、が形成される。前記凹部１２２には、窓口１２３が形成される。前記収納溝１２１には、前向きに延在する位置決め柱１２４が設けられる。前記収納溝１２１には、係止部１２５が設けられる。
【００１２】
前記蓋板１３には、前辺から凹んだ凹所１３０が形成される。ベース６には、複数の端子孔６１が形成される。
【００１３】
前記導電端子２は、ＵＳＢ３．０規格に準拠した四つの第１端子２１と五つの第２端子２２とを備える。四つの第１端子２１は、第１接地端子２３と、パワー端子２４と、第１接地端子２３とパワー端子２４との間に配置される第１対の差分信号端子２５と、を備える。各第１端子２１は、平板状の第１接触部２１１と、第１尾部２１３と、第１接触部２１１と第１尾部２１３との間に設けられる第１保持部２１２と、を有する。
【００１４】
五つの第２端子２２は、第２対の差分信号端子２６と、第３対の差分信号端子２７と、第２対の差分信号端子２６と第３対の差分信号端子２７との間に配置される第２接地端子２８と、を備える。各第２端子２２は、弾力的な第２接触部２２１と、第２尾部２２３と、第２接触部２２１と第２尾部２２３との間に設けられる第２保持部２２２と、を有する。
【００１５】
光部材３は、基部３０と、基部３０に取り付けられる複数のファイバー３５と、を備える。前記基部３０には、前記係止部１２５に対応する係止孔３２と、係止孔３２の両側に設けられる一対のレンズ３３と、相手コネクタ（図示せず）に対応する一対の対応孔３４と、を有する。基部３０の後端には、後向きに突出する凸柱３６が設けられる。
【００１６】
バネ体４は、コイル部４０と、前記コイル部４０から延在する第１延在部４１と、第１延在部４１の自由端から折り曲げられる第２延在部４２と、第２延在部４２の自由端から折り曲げられる接続部４３と、を有する。
【００１７】
遮蔽部材８は、第１壁部８１と、前記第１壁部８１と対向する第３壁部８３と、一対の第２壁部８２と、を有する。
【００１８】
図１〜図７に示すように、コネクタ１００を組み立てる時、先ず、四つの第１端子２１が絶縁性本体１にインサートモールドによって成型される。第１端子２１の第１尾部２１３が、絶縁性本体１の位置決め溝１１２に挿入される。第１端子２１の第１接触部２１１は、第１端子溝１２７から露出する。五つの第２端子２２は、ベース６の端子孔６１に挿入される。ベース６が絶縁性本体１の収納スペース１１３に装入される。第２端子２２の第２接触部２２１が、絶縁性本体１の第２端子溝１２８に露出される。被覆部７は、ベース６に固着される。他の実施形態において、第２端子２２が、ベース６にインサートモールドによって成型される。第１接地端子２３の第１保持部２１２は、絶縁性本体１の窓口１２３から露出される。
【００１９】
前記光部材３のファイバー３５が基部３０に装着される。光部材３は、絶縁性本体１に装着される。光部材３の基部３０が収納溝１２１に収納される。光部材３の複数のファイバー３５が、保持溝１１１に保持される。基部３０の係止孔３２は、絶縁性本体１の係止部１２５と係合することができる。バネ体４のコイル部４０の両端は、それぞれ光部材３の凸柱３６と絶縁性本体１の位置決め柱１２４とに取り付けられる。蓋板１３は、凹部１２２に付着される。バネ体４のコイル部４０は、凹所１３０によって上下方向において移動することができる。バネ体４の第１延在部４１は、前記凹部１２２と蓋板１３との間に当接される。バネ体４の第２延在部４２が、窓口１２３の側壁に当接し、接続部４３が上向きに窓口１２３に越えて第１接地端子２３の第１保持部２１２に電気的に接続する。バネ体４が第１接地端子２３に電気的に接続することによって、バネ体４と第１対の差分信号端子〜第３対の差分信号端子２５〜２７との間のクロストークが減少される。又、接続部４３がバネ体４に一体に成型されることによって、バネ体４の製造費用が節約される。他の実施状態において、接続部４３が、第１接地端子２３の代わりに、第２接地端子２８に電気的に接続する。最後、絶縁性本体１が被覆部材８とシェル９とに収納される。コネクタ１００は、一体的に製造される。
【００２０】
コネクタ１００が相手コネクタと接続する時、光部材３が収納溝１２１に移動できる。相手コネクタをコネクタ１００から抜き出す時、基部３０がバネ体４によって前向きに移動する。係止部１２５が光部材３の係止孔３２に係合する。係止部１４５によって、光部材３が収納溝１４１から離れることを防止できるとともに、光部材３が位置決めされる。
【００２１】
図８〜図１０に示すように、第２実施形態のコネクタ１００’は、絶縁性本体１’と、蓋板１３’と、複数の導電端子２’と、前記絶縁性本体１’に装着される光部材３’と、前記絶縁性本体’１と光部材３’との間に装着されるバネ体４’と、金属片５’と、前記絶縁性本体１’に固着されるベース６’と、前記ベース６’に装着される被覆部７’と、前記絶縁性本体１’を遮蔽する遮蔽部材８’と、シェル９’と、を備える。
【００２２】
前記導電端子２’は、ＵＳＢ３．０規格に準拠した四つの第１端子２１’と五つの第２端子２２’とを備える。四つの第１端子２１’は、第１接地端子２３’と、パワー端子２４’と、第１接地端子２３’とパワー端子２４’との間に配置される第１対の差分信号端子２５’と、を備える。各第１端子２１’は、平板状の第１接触部と、第１尾部と、第１接触部と第１尾部との間に設けられる第１保持部２１２’と、を有する。
【００２３】
五つの第２端子２２’は、第２対の差分信号端子２６’と、第３対の差分信号端子２７’と、第２対の差分信号端子２６’と第３対の差分信号端子２７’との間に配置される第２接地端子２８’と、を備える。
【００２４】
絶縁性本体１’は、主体部１１’と、主体部１１’から前向きに突出する舌板１２’とを備える。前記舌板１２’の下表面には、収納溝１２１’と、前記収納溝１２１’に連通する凹部１２２’とが形成される。前記凹部１２２’には、第１接地端子２３’を露出する窓口１２３’が形成される。
【００２５】
金属片５’は、水平方向に延在する片状の第１ビーム部５１’と、水平方向と直交する第２方向に延在する第２ビーム部５２’と、第１ビーム部５１’から上向きに傾斜に延在する接続部５３’と、第２ビーム部５２’から上向きに延在する係合部５４’と、を備える。係合部５４’には、凹口５５’が形成される。
【００２６】
蓋板１３’は、絶縁性本体１’の凹部１２２’に付着される。金属片５’は、蓋板１３’の底部に固着される。蓋板１３’の下表面には、前記金属片５’の第２ビーム部５２’に収納する第２凹溝１３５’が形成される。蓋板１３’の下表面と絶縁性本体１との間には、金属片５’の第１ビーム部５１’を制限するための第１凹溝１１４’が形成される。蓋板１３’には、弾力部材５’の接続部５３’が伸出する切欠き１３４’が形成される。金属片５’の接続部５３’は、順番に切欠き１３４’と窓口１２３’とを越えて第１接地端子２３’に電気的に接続する。蓋板１３’には、係合溝１３７’が形成される凹所１３０’が形成される。金属片５’の係合部５４’は、凹所１３０’を越えて上向きに延在する。金属片５’の係合部５４’は、蓋板１３’の係合溝１３７’に係合する。バネ体４’が、係合部５４’の凹口５５’に装入される。
【００２７】
金属片５’の接続部５３’は、窓口１２３’によって第１接地端子２３’に電気的に接続する。これにより、バネ体４’と第１対の差分信号端子〜第３対の差分信号端子２５’〜２７’との間のクロストークが減少される。
【００２８】
以上、本発明について好ましい実施形態を参照して詳細に説明したが、実施形態はあくまでも例示的なものであり、これらに限定されるものではない。また上述の説明は、本発明に基づき成し得る細部の修正或いは変更などは、いずれも本発明の技術的範囲に属するものである。
【符号の説明】
【００２９】
１００  コネクタ
１  絶縁性本体
１１  主体部
１１１  保持溝
１１２  位置決め溝
１１３  収納スペース
１１４  固定溝
１２  舌板
１２１  収納溝
１２２  凹部
１２３  窓口
１２４  位置決め柱
１２５  係止部
１２７  第１端子溝
１２８  第２端子溝
１３  蓋板
１３０  凹所
２  導電端子
２１  第１端子
２１１  第１接触部
２１２  第１保持部
２１３  第１尾部
２２  第２端子
２２１  第２接触部
２２２  第２保持部
２２３  第２尾部
２３  第１接地端子
２４  パワー端子
２５  第１対の差分信号端子
２６  第２対の差分信号端子
２７  第３対の差分信号端子
２８  第２接地端子
３  光部材
３０  基部
３２  係止孔
３３  レンズ
３４  対応孔
３５  ファイバー
３６  凸柱
４  バネ体
４０  コイル部
４１  第１延在部
４２  第２延在部
４３  接続部
６  ベース
６１  端子孔
７  被覆部
８  遮蔽部材
８１  第１壁部
８２  第２壁部
８３  第３壁部
９  シェル
１００’  コネクタ
１’  絶縁性本体
１１’  主体部
１１４’  第１凹溝
１２’  舌板
１２１’  収納溝
１２２’  凹部
１２３’  窓口
１３’  蓋板
１３０’  凹所
１３４’  切欠き
１３５’  第２凹溝
１３７’  係合溝
２１２’  第１保持部
２３’  第１接地端子
２５’  第１対の差分信号端子
２６’  第２対の差分信号端子
２７’  第３対の差分信号端子
３’  光部材
４’  バネ体
５’  金属片
５１’  第１ビーム部
５２’  第２ビーム部
５３’  接続部
５４’  係合部
５５’  凹口
６’  ベース
７’  被覆部
８’  遮蔽部材
９’  シェル
【図１】
2011086624.tif 000003
【図２】
2011086624.tif 000004
【図３】
2011086624.tif 000005
【図４】
2011086624.tif 000006
【図５】
2011086624.tif 000007
【図６】
2011086624.tif 000008
【図７】
2011086624.tif 000009
【図８】
2011086624.tif 000010
【図９】
2011086624.tif 000011
【図１０】
2011086624.tif 000012